(57)【要約】【課題】本発明は、会社に届ける商品（弁当）の仕分けや、会社に届けられた商品（弁当）の仕分けを確実に行うことができ、届け先に間違いなく商品（弁当）を届けることができる情報を、商品（弁当）巻き付ける帯封に印字する帯封印字装置を提供することを課題とする。【解決手段】帯封４０を弁当５０に巻き付けた際に上面に位置する箇所に発注情報が印字される発注情報印字領域４１が設けられている印字フォーマットを印字フォーマット記憶部に記憶しておき、印字制御部は、印字フォーマットに基づいて、帯封４０の発注情報印字領域４１に発注情報を印字させる。【選択図】        図８
2008181441.tif 000002
【特許請求の範囲】
【請求項１】
商品種別と届け先とを含む発注情報に基づいて帯封に印字を施す帯封印字装置あって、
前記帯封を商品に巻き付けた際に上面に位置する箇所に前記発注情報が印字される発注情報印字領域が設けられている印字フォーマットを記憶する印字フォーマット記憶手段と、
前記印字フォーマットに基づいて、前記帯封の前記発注情報印字領域に前記発注情報を印字させる印字制御手段とを具備することを特徴とする帯封印字装置。
【請求項２】
前記印字フォーマット記憶手段に記憶されている前記印字フォーマットには、前記帯封を商品に巻き付けた際に側面に位置する箇所に前記商品種別が色もしくは模様で表される第１領域と前記届け先が色もしくは模様で表される第２領域とが設けられており、
前記商品種別と色もしくは模様とを対応づけた商品情報を記憶する商品情報記憶手段と、
前記届け先と色もしくは模様とを対応づけた届け先情報を記憶する届け先情報記憶手段とを具備し、
前記印字制御手段は、前記商品情報および前記届け先情報にそれぞれ基づいて、前記発注情報の前記商品種別および前記届け先に対応する色もしくは模様をそれぞれ特定し、前記帯封の前記第１領域に前記商品種別に対応する色もしくは模様を、前記帯封の前記第２領域に前記届け先に対応する色もしくは模様をそれぞれ印字させることを特徴とする請求項１記載の帯封印字装置。
【請求項３】
前記印字フォーマットの前記第１領域と前記第２領域とは、前記帯封の幅方向に順次配置されていることを特徴とする請求項２記載の帯封印字装置。
【請求項４】
前記印字フォーマットの前記第１領域の幅と前記第２領域の幅とは、異なる幅に設定されていることを特徴とする請求項３記載の帯封印字装置。
【発明の詳細な説明】
【技術分野】
【０００１】
本発明は、商品に巻き付ける帯封に印字を施す帯封印字装置に関し、特に商品種別と届け先とを含む発注情報を帯封に印字する帯封印字装置に関する。
【背景技術】
【０００２】
商品である弁当を会社単位で受注して配達する仕出し弁当業において、インターネットを介して個人ユーザが自分専用のウェブページを通してそれぞれ商品の発注を行うことができるように構成した商品注文受付システムを構築することで、会社内の弁当を取りまとめていた総務部門、管理者等から発注代行業務を解放し、労務コストの削減を図ることが提案されている（例えば、特許文献１参照）。
【０００３】
しかしながら、従来技術では、発注作業の簡便化を実現することができるものの、会社に届ける商品（弁当）の仕分けや、会社に届けられた商品（弁当）の仕分けは、依然として人手で行う必要があり、内容物を確認しにくい商品（弁当）においては、届け間違いが起こりやすいという問題点があった。
【０００４】
【特許文献１】特開２００２−２９７９５６号公報
【発明の開示】
【発明が解決しようとする課題】
【０００５】
本発明は斯かる問題点に鑑みてなされたものであり、その目的とするところは、会社に届ける商品（弁当）の仕分けや、会社に届けられた商品（弁当）の仕分けを確実に行うことができ、届け先に間違いなく商品（弁当）を届けることができる情報を、商品（弁当）巻き付ける帯封に印字する帯封印字装置を提供する点にある。
【課題を解決するための手段】
【０００６】
本発明は上記課題を解決すべく、以下に掲げる構成とした。
請求項１記載の発明の要旨は、商品種別と届け先とを含む発注情報に基づいて帯封に印字を施す帯封印字装置あって、前記帯封を商品に巻き付けた際に上面に位置する箇所に前記発注情報が印字される発注情報印字領域が設けられている印字フォーマットを記憶する印字フォーマット記憶手段と、前記印字フォーマットに基づいて、前記帯封の前記発注情報印字領域に前記発注情報を印字させる印字制御手段とを具備することを特徴とする帯封印字装置に存する。
また請求項２記載の発明の要旨は、前記印字フォーマット記憶手段に記憶されている前記印字フォーマットには、前記帯封を商品に巻き付けた際に側面に位置する箇所に前記商品種別が色もしくは模様で表される第１領域と前記届け先が色もしくは模様で表される第２領域とが設けられており、前記商品種別と色もしくは模様とを対応づけた商品情報を記憶する商品情報記憶手段と、前記届け先と色もしくは模様とを対応づけた届け先情報を記憶する届け先情報記憶手段とを具備し、前記印字制御手段は、前記商品情報および前記届け先情報にそれぞれ基づいて、前記発注情報の前記商品種別および前記届け先に対応する色もしくは模様をそれぞれ特定し、前記帯封の前記第１領域に前記商品種別に対応する色もしくは模様を、前記帯封の前記第２領域に前記届け先に対応する色もしくは模様をそれぞれ印字させることを特徴とする請求項１記載の帯封印字装置に存する。
また請求項３記載の発明の要旨は、前記印字フォーマットの前記第１領域と前記第２領域とは、前記帯封の幅方向に順次配置されていることを特徴とする請求項２記載の帯封印字装置に存する。
また請求項４記載の発明の要旨は、前記印字フォーマットの前記第１領域の幅と前記第２領域の幅とは、異なる幅に設定されていることを特徴とする請求項３記載の帯封印字装置に存する。
【発明の効果】
【０００７】
本発明の帯封印字装置は、帯封を商品に巻き付けた際に上面に位置する箇所に発注情報が印字される発注情報印字領域が設けられている印字フォーマットに基づいて、帯封の発注情報印字領域に発注情報を印字するように構成することにより、帯封の発注情報印字領域に印字された発注情報を上面側から視認することで商品種別および届け先を把握することができるため、発注情報に含まれる商品種別と届け先とに基づいて、会社に届ける商品（弁当）の仕分けや、会社に届けられた商品（弁当）の仕分けを確実に行うことができ、届け先に間違いなく商品（弁当）を届けることができるという効果を奏する。
【０００８】
さらに、本発明の帯封印字装置は、商品種別と色もしくは模様とを対応づけた商品情報と、届け先と色もしくは模様とを対応づけた届け先情報とを記憶しておき、商品情報および届け先情報にそれぞれ基づいて、発注情報の商品種別および届け先に対応する色もしくは模様をそれぞれ特定し、帯封を商品に巻き付けた際に側面に位置する箇所に商品種別が色もしくは模様で表される第１領域と届け先が色もしくは模様で表される第２領域とが設けられた印字フォーマットに基づいて、帯封の第１領域に弁当種別に対応する色もしくは模様を、帯封の第２領域に届け先に対応する色もしくは模様をそれぞれ印字するように構成することにより、商品（弁当）が積み重ねられていても、帯封の第１領域および第２領域に印字された色もしくは模様を側面側から視認することで商品種別および届け先を把握することができるため、発注情報に含まれる商品種別と届け先とに基づいて、会社に届ける商品（弁当）の仕分けや、会社に届けられた商品（弁当）の仕分けを確実に行うことができ、届け先に間違いなく商品（弁当）を届けることができるという効果を奏する。
【０００９】
さらに、本発明の帯封印字装置は、印字フォーマットの第１領域と第２領域とを帯封の幅方向に順次配置することにより、商品（弁当）が積み重ねられている場合に、異なる届け先が混ざっていることを容易に認識することができ、商品（弁当）の仕分け作業を確実に行うことができるという効果を奏する。
【００１０】
さらに、本発明の帯封印字装置は、印字フォーマットの第１領域の幅と第２領域の幅とを異なる幅に設定することにより、第１領域および第２領域の順番を間違えることなく認識することができるという効果を奏する。
【発明を実施するための最良の形態】
【００１１】
以下、本発明の実施の形態を図面に基づいて詳細に説明する。
【００１２】
図１は、本発明に係る帯封印字装置の実施の形態の構成を示すブロック図であり、図２は、図１に示す受注一覧情報記憶部に記憶されている受注一覧情報例を示す図であり、図３は、図１に示す表示される受注残情報例を示す図であり、図４は、図１に示す印字フォーマット記憶部に記憶されている印字アウトレイ例を示す図であり、図５は、図１に示す商品情報記憶部に記憶されている商品情報例を示す図であり、図６は、図１に示す届け先情報記憶部に記憶されている届け先情報例を示す図である。
【００１３】
本実施の形態の帯封印字装置１０は、商品である弁当を会社単位で受注して配達する仕出し弁当業者によって管理され、配達する弁当に巻き付ける帯封に印字を施す印字装置であり、図１を参照すると、受信部１１と、入力部１２と、受注一覧情報記憶部１３と、表示部１４と、集計部１５と、印字フォーマット記憶部１６と、商品情報記憶部１７と、届け先情報記憶部１８と、印字制御部１９と、印字部２０とを備えている。
【００１４】
受信部１１は、インターネット等のネットワーク３０を介して届け先端末３１から送信される発注情報を受信する機能を有する。なお、届け先端末３１は、例えば、弁当を発注する発注者が所属する会社に設置されたパーソナルコンピュータ等の情報処理装置であり、発注する弁当を示す弁当種別と会社名、フロア数、部署名および氏名からなる届け先とを発注情報として入力し、ネットワーク３０を介して帯封印字装置１０に送信する。
【００１５】
入力部１２は、キーボード等の入力手段であり、図示しない電話等で受注した場合に、仕出し弁当業者が発注情報の入力を行うと共に、弁当種別と数とを指定し、帯封の発行指示の入力を行う。
【００１６】
受注一覧情報記憶部１３は、ＨＤＤ等の情報記憶手段であり、受信部１１によって受信および入力部１２から入力された発注情報が受注一覧情報として記憶される。受注一覧情報には、図２を参照すると、帯封を発行したか否かを示す発行済みフラグが発注情報毎に設けられており、帯封を発行していない発注情報の発行済みフラグは、「０」であり、帯封を発行した発注情報の発行済みフラグが集計部１５によって「１」に書き換えられる。
【００１７】
表示部１４は、液晶ディスプレイ等の表示手段であり、図３に示すように、弁当種別毎の受注数と、帯封を発行していない受注残数とが表示され、製造する弁当種別と数とを把握することができる。
【００１８】
集計部１５は、受信部１１によって受信および入力部１２から入力された発注情報を受注一覧情報として受注一覧情報記憶部１３に記憶させると共に、受注一覧情報に基づく弁当種別毎の受注数の集計と、受注一覧情報における発行済みフラグが「０」の発注情報に基づく弁当種別毎の受注残数の集計とを行い、集計した受注数および受注残数を表示部１４に表示させる。また、集計部１５は、入力部１２に発行指示の入力が行われると、指定された数、指定された弁当種別の発行済みフラグが「０」の発注情報を受注一覧情報記憶部１３から読み出し、読み出した発注情報を印字制御部１９に出力すると共に、読み出した発注情報の発行済みフラグを「１」に書き換える。
【００１９】
印字フォーマット記憶部１６は、ＨＤＤ等の情報記憶手段であり、帯封４０に印字を行う際の印字フォーマットが記憶されている。印字フォーマットには、図４を参照すると、発注情報を印字する発注情報印字領域４１が帯封４０を弁当に巻き付けた際に弁当の上面に位置する箇所に設けられていると共に、弁当種別を色や模様によって識別するための第１領域４２と、弁当の届け先を色や模様によって識別するための第２領域４３および第３領域４４とが帯封４０を弁当に巻き付けた際に弁当の上面および側面に位置する箇所に設けられている。なお、第１領域４２、第２領域４３および第３領域４４は、図４に示すように、幅方向（図４における左右方向）に順次配置されており、順番によって第１領域４２、第２領域４３および第３領域４４を認識することができるようになっている。また、本実施の形態では、第１領域４２、第２領域４３および第３領域４４の幅を全て同一なものとしたが、両端の第１領域４２の幅と第３領域４４の幅を異なるように設定すると、第１領域４２、第２領域４３および第３領域４４の順番を間違えることなく認識することができ、好適である。
【００２０】
商品情報記憶部１７は、ＨＤＤ等の情報記憶手段であり、弁当種別と第１領域４２に印字する色や模様とを対応づけた商品情報が記憶されている。本実施の形態では、図５に示すように、弁当種別に対して第１領域４２に印字する色が対応づけられている。
【００２１】
届け先情報記憶部１８は、ＨＤＤ等の情報記憶手段であり、弁当の届け先と第２領域４３および第３領域４４に印字する色や模様とを対応づけた届け先情報が記憶されている。本実施の形態では、図６に示すように、会社名と部署とを弁当の届け先とし、会社名に対して第２領域４３に印字する色が対応づけられていると共に、部署に対して第３領域４４に印字する色が対応づけられている。
【００２２】
印字制御部１９は、集計部１５から発注情報が入力されると、商品情報記憶部１７に記憶されている商品情報に基づいて発注情報の弁当種別に対応する色と、届け先情報記憶部１８に記憶されている届け先情報に基づいて発注情報の会社名および部署に対応するそれぞれの色とを特定し、印字フォーマット記憶部１６に記憶されている印字フォーマットに基づいて、発注情報印字領域４１に発注情報および製造年月日を、第１領域４２に弁当種別に対応する色を、第２領域４３に会社名に対応する色を、第３領域４４に部署に対応する色をそれぞれ展開したビットマップイメージデータを作成し、印字部２０を用いて、帯封４０に印字を施す。なお、印字部２０は、カラー印字に対応することができる熱転写プリンタやインクジェットプリンタ等の印字手段である。
【００２３】
次に、本実施の形態の帯封発行について図７乃至図９を参照して詳細に説明する。
図７は、本発明に係る帯封印字装置の実施の形態によって印字が施された帯封例を示す図であり、図８は、図５に示す帯封を弁当箱に巻き付けた状態を示す図であり、（ａ）は、上面図であり、（ｂ）は、側面図である。図９は、図６に示す弁当箱を積み重ねた状態を示す側面図である。
【００２４】
表示部１４に表示されている弁当種別毎の受注残量を確認することで、弁当を製造し、入力部１２によって製造した弁当の弁当種別と数とを指定した帯封の発行指示の入力を行う。入力部１２に帯封の発行指示が入力されると、集計部１５は、指定された数、指定された弁当種別の発行済みフラグが「０」の発注情報を受注一覧情報記憶部１３から読み出し、読み出した発注情報を印字制御部１９に出力すると共に、読み出した発注情報の発行済みフラグを「１」に書き換える。なお、本実施の形態では、帯封の発行指示の入力に際して、弁当種別を指定するように構成したが、発注情報の他の項目も指定できるようにしても良い。
【００２５】
集計部１５から発注情報が入力されると、印字制御部１９は、商品情報記憶部１７に記憶されている商品情報、届け先情報記憶部１８に記憶されている届け先情報および印字フォーマット記憶部１６に記憶されている印字フォーマットに基づいて、印字部２０を用いて、帯封４０に印字を施し、図７に示すように、発注情報印字領域４１に発注情報および製造年月日が、第１領域４２に弁当種別に対応する色が、第２領域４３に会社名に対応する色が、第３領域４４に部署に対応する色がそれぞれ印字された帯封４０が発行される。なお、本実施の形態では、弁当５０の内容を確認するための弁当種別と、仕出し弁当業者による仕分けに用いる会社名と、会社内での仕分けに用いるフロア数および部署名と、取り間違いを防止するため氏名とを発注情報として発注情報印字領域４１に印字すると共に、衛生面の観点から製造年月日を発注情報印字領域４１に印字するように構成したが、発注情報に住所等の他の項目が含まれている場合には、他の項目を印字するようにしても良く、さらに、弁当に使用した材料等の他の情報を印字するようにしても良い。
【００２６】
発行された帯封４０は、図８に示すように、弁当５０に巻き付けられ、上面側からは、図８（ａ）に示すように、発注情報印字領域４１に印字された発注情報および製造年月日と、第１領域４２、第２領域４３および第３領域４４によって、届け先を認識することができるようになる。また、側面側からは、図８（ｂ）に示すように、第１領域４２、第２領域４３および第３領域４４によって、届け先を認識することができるようになり、図９に示すように、弁当５０を積み重ねた場合でも、異なる届け先が混ざっていることを容易に認識することができ、弁当の仕分け作業を確実に行うことができる。すなわち、仕出し弁当業者は、第２領域４３を参照することで、会社毎の弁当の仕分けを簡単に行うことができ、会社に一括して配達された弁当は、第３領域４４を参照することで、部署毎の弁当の仕分けを簡単に行うことができる。
【００２７】
なお、本実施の形態では、帯封４０を弁当５０に巻き付ける作業方法については、言及しなかったが、帯封印字装置１０から発行された帯封４０を自動で弁当５０に巻き付ける自動巻き付け装置を帯封印字装置１０に連動させて設けると、より効果的である。
【００２８】
以上説明したように、本実施の形態によれば、帯封４０を弁当５０に巻き付けた際に上面に位置する箇所に発注情報が印字される発注情報印字領域４１が設けられている印字フォーマットを印字フォーマット記憶部１６に記憶しておき、印字制御部１９は、印字フォーマットに基づいて、帯封４０の発注情報印字領域４１に発注情報を印字させるように構成することにより、帯封４０の発注情報印字領域４１に印字された発注情報を上面側から視認することで商品種別および届け先を把握することができるため、発注情報に含まれる商品種別と届け先とに基づいて、会社に届ける弁当５０の仕分けや、会社に届けられた弁当５０の仕分けを確実に行うことができ、届け先に間違いなく弁当５０を届けることができるという効果を奏する。
【００２９】
さらに、本実施の形態では、商品種別と色もしくは模様とを対応づけた商品情報を商品情報記憶部１７に、届け先と色もしくは模様とを対応づけた届け先情報を届け先情報記憶部１８にそれぞれ記憶しておくと共に、帯封４０を弁当５０に巻き付けた際に側面に位置する箇所に商品種別が色もしくは模様で表される第１領域４２と届け先が色もしくは模様で表される第２領域４３（第３領域４４）とが設けられた印字フォーマットを印字フォーマット記憶部１６に記憶しておき、印字制御部１９は、商品情報および届け先情報にそれぞれ基づいて、発注情報の商品種別および届け先に対応する色もしくは模様をそれぞれ特定し、印字フォーマットに基づいて、帯封４０の第１領域４２に弁当種別に対応する色もしくは模様を、帯封４０の第２領域４３（第３領域４４）に届け先に対応する色もしくは模様をそれぞれ印字するように構成することにより、弁当５０が積み重ねられていても、帯封４０の第１領域４２および第２領域４３（第３領域４４）に印字された色もしくは模様を側面側から視認することで商品種別および届け先を把握することができるため、発注情報に含まれる商品種別と届け先とに基づいて、会社に届ける弁当５０の仕分けや、会社に届けられた弁当５０の仕分けを確実に行うことができ、届け先に間違いなく弁当５０を届けることができるという効果を奏する。
【００３０】
さらに、本実施の形態では、印字フォーマットの第１領域４２と第２領域４３（第３領域４４）とを帯封４０の幅方向に順次配置することにより、弁当５０が積み重ねられている場合に、異なる届け先が混ざっていることを容易に認識することができ、弁当５０の仕分け作業を確実に行うことができるという効果を奏する。
【００３１】
さらに、本実施の形態では、印字フォーマットの第１領域４２の幅と第２領域４３（第３領域４４）の幅とを異なる幅に設定することにより、第１領域４２および第２領域４３（第３領域４４）の順番を間違えることなく認識することができるという効果を奏する。
【００３２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３３】
【図１】本発明に係る帯封印字装置の実施の形態の構成を示すブロック図である。
【図２】図１に示す受注一覧情報記憶部に記憶されている受注一覧情報例を示す図である。
【図３】図１に示す表示される受注残情報例を示す図である。
【図４】図１に示す印字フォーマット記憶部に記憶されている印字アウトレイ例を示す図である。
【図５】図１に示す商品情報記憶部に記憶されている商品情報例を示す図である。
【図６】図１に示す届け先情報記憶部に記憶されている届け先情報例を示す図である。
【図７】本発明に係る帯封印字装置の実施の形態によって印字が施された帯封例を示す図である。
【図８】図５に示す帯封を弁当箱に巻き付けた状態を示す図であり、（ａ）は、上面図であり、（ｂ）は、側面図である。
【図９】図６に示す弁当箱を積み重ねた状態を示す側面図である。
【符号の説明】
【００３４】
１０  帯封印字装置
１１  受信部
１２  入力部
１３  受注一覧情報記憶部
１４  表示部
１５  集計部
１６  印字フォーマット記憶部
１７  商品情報記憶部
１８  届け先情報記憶部
１９  印字制御部
２０  印字部
３０  ネットワーク
３１  届け先端末
４０  帯封
４１  発注情報印字領域
４２  第１領域
４３  第２領域
４４  第３領域
５０  弁当
【図１】
2008181441.tif 000003
【図２】
2008181441.tif 000004
【図３】
2008181441.tif 000005
【図４】
2008181441.tif 000006
【図５】
2008181441.tif 000007
【図６】
2008181441.tif 000008
【図７】
2008181441.tif 000009
【図８】
2008181441.tif 000010
【図９】
2008181441.tif 000011